(57)【要約】【課題】  複雑な構造のアダプタが不要で、かつ水処理器の設置場所の自由度の向上を図ることができ、しかも既設の混合水栓における各種構造の分岐口アタッチメントに簡単に取付けることができる吐出用部材の提供を目的とする。【解決手段】  原水Ｗの入口部３２と、水処理器に対する原水の供給口３３と、水処理された生成水の戻り口３４と、生成水を吐出する吐出部３５とを備えた吐水用部材３０であって、上記原水Ｗの入口部３２を、混合水栓における各種構造の分岐口アタッチメントに取付け可能に構成したことを特徴とする。【選択図】  図３
2006037705.tif 000002
【特許請求の範囲】
【請求項１】
原水の入口部と、水処理器に対する原水の供給口と、水処理された生成水の戻り口と、生成水を吐出する吐出部とを備えた吐水用部材であって、
上記原水の入口部を、混合水栓における各種構造の分岐口アタッチメントに取付け可能に構成した
吐水用部材。
【請求項２】
上記原水が供給口へ流動する経路の一部には、水処理器への流量を一定にする
定量弁が内設された
請求項１記載の吐水用部材。
【請求項３】
上記供給口と戻り口とを連通する連通路を設け、
該連通路には原水圧力で上動して閉弁し、原水の流入停止時に吐出部に残溜する水圧で下動して開弁する逆止弁が設けられた
請求項１または２記載の吐水用部材。
【請求項４】
上記原水の入口部と原水の供給口との間には、着脱自在なプラグナットを有する分岐出口が連通形成された
請求項１〜３の何れか１に記載の吐水用部材。
【発明の詳細な説明】
【技術分野】
【０００１】
この発明は、アルカリイオン整水器や浄水器などの水処理器に原水を供給し、水処理器で生成された生成水を吐出部から流出して使用に供するような吐水用部材に関する。
【背景技術】
【０００２】
従来、水処理器の接続の一例としてアルカリイオン整水器を使用する場合には、図９に示すように、スパウト９１、操作レバー９２を備えたシングルレバー式の混合水栓９３を設け、この混合水栓９３の栓本体９４に対して分岐アダプタ９５およびホース９６を介してアルカリイオン整水器９７を接続し、このアルカリイオン整水器９７で生成されたイオン水（生成水）を吐水パイプ９８から吐出して使用に供するように構成されている。
【０００３】
図９に示す従来構造においては、吐水パイプ９８の寸法範囲内にしかアルカリイオン整水器９７を設置することができず、このアルカリイオン整水器９７の設置場所が制約を受けて、設置場所の自由度が低下する問題点があった。また吐出パイプ９８を長くすると、見栄えが悪化する問題点があった。
【０００４】
一方、アルカリイオン整水器９７に吐水パイプが付いていない機種の場合には、図１０に示すように、分岐口１００と帰着口１０１とを有する特別かつ専用のアダプタ１０２を設け、このアダプタ１０２の軸方向の端部に設けられた操作レバー１０３を回動操作して、原水をそのままスパウト１０４から吐出する態様と、原水を分岐口１００から矢印ｘ方向に分岐流出してアルカリイオン整水器に供給し、このアルカリイオン整水器で生成されたイオン水を矢印ｙ方向に還流させて、帰着口１０１からアダプタ１０２内部を介してスパウト１０４から吐出する態様とを選択して、原水またはイオン水を使用に供するように構成されている。
【０００５】
この図１０に示す従来構造においては、アルカリイオン整水器の設置場所の自由度向上を図ることができる利点がある反面、特別かつ専用のアダプタ１０２を要することは勿論、該アダプタ１０２の内部構造が複雑な関係上、コストアップを招く問題点があった。
【０００６】
一方、特許文献１には蛇口固定部を備えたケース内部に弁本体を設け、この弁本体の軸方向の端部に操作レバーを取付けて、該操作レバーの操作により蛇口からの原水をスパウトに連通する原水出口に接続したり、または弁本体に接続可能に設けられた分岐口に接続し、分岐口にはアルカリイオン整水器などの水処理器を取付け、この水処理器で生成された生成水を帰着口に還流すべく構成した水処理器用分岐栓が開示されている。
【０００７】
この水処理器用分岐栓はスパウトの先端に取付けられるもので、水処理器に対するホース等の通路長が長くなり、見栄えが大幅に悪化する問題点があり、一般的な水栓の使用時にも上記ホース等が邪魔になる問題点があった。
【０００８】
【特許文献１】特開２０００−２８０１９号公報
【発明の開示】
【発明が解決しようとする課題】
【０００９】
そこで、この発明は、複雑な構造のアダプタが不要で、かつ水処理器の設置場所の自由度の向上を図ることができ、しかも既設の混合水栓における各種構造の分岐口アタッチメントに簡単に取付けることができる吐水用部材の提供を目的とする。
【課題を解決するための手段】
【００１０】
この発明による吐水用部材は、原水の入口部と、水処理器に対する原水の供給口と、水処理された生成水の戻り口と、生成水を吐出する吐出部とを備えた吐水用部材であって、上記原水の入口部を、混合水栓における各種構造の分岐口アタッチメントに取付け可能に構成したものである。  
上述の水処理器は、水道水などの原水を浄化する浄水器または、原水を電気分解してイオン水（生成水）を生成するアルカリイオン整水器に設定してもよい。
【００１１】
上記構成によれば、吐水用部材の入口部に流入した原水は、供給口から水処理器に供給され、この水処理器にて水処理された生成水は戻り口（生成水入口）から流入した後に、吐出部から流出されて、使用に供することができる。
【００１２】
しかも、上述の原水の入口部を、混合水栓における各種構造の分岐口アタッチメントに取付けることができるので、複雑な構造のアダプタが一切不要で、かつ水処理器の設置場所の自由度の向上を図ることができると共に、既設の混合水栓の分岐口アタッチメントに簡単に取り付けることができ、特に混合水栓の分岐口アタッチメントは各種構造のものが存在するので、吐水用部材の汎用性の拡大を図ることができる。  
また、吐水用部材を混合水栓の分岐口アタッチメントに取付けるとよいので、その取付け工事も極めて簡単である。
【００１３】
この発明の一実施態様においては、上記原水が供給口へ流動する経路の一部には、水処理器への流量を一定にする定量弁が内設されたものである。  
上記構成によれば、供給口から水処理器へ供給される流出量の定量化を図ることができるので、水処理器に必要以上の水が供給されるのを制限することができる。  
なお、必要以上の水が水処理器に供給されると、水処理器の能力をオーバーし、処理不能となるので、上記定量弁を設けるものである。
【００１４】
この発明の一実施態様においては、上記供給口と戻り口とを連通する連通路を設け、該連通路には原水圧力で上動して閉弁し、原水の流入停止時に吐出部に残溜する水圧で下動して開弁する逆止弁が設けられたものである。  
上記構成によれば、原水の流入が停止した時、逆止弁が開弁するので、吐出部側に残溜する水（浄化されて塩素を含有しない水）と、水道水などの塩素が含有されて殺菌力を有する原水とが混合し、吐出部側における菌の繁殖を防止して、殺菌効果を確保することができる。
【００１５】
この発明の一実施態様においては、上記原水の入口部と原水の供給口との間には、着脱自在なプラグナットを有する分岐出口が連通形成されたものである。  
上述の分岐出口には、プラグナットを取外して食器洗い乾燥機などの外部機器を接続してもよい。  
上記構成によれば、分岐出口から分流される原水を用いて外部機器に給水することができ、利便性の向上を図ることができる。
【発明の効果】
【００１６】
この発明によれば、複雑な構造のアダプタが不要で、かつ水処理器の設置場所の自由度の向上を図ることができ、しかも、既設の混合水栓の分岐口アタッチメントに簡単に取付けることができる効果がある。
【発明を実施するための最良の形態】
【００１７】
複雑な構造のアダプタが不要で、かつ水処理器の設置場所の自由度の向上を図ることができ、しかも、既設の混合水栓の分岐口アタッチメントに簡単に取り付けることができるという目的を、原水の入口部と、水処理器に対する原水の供給口と、水処理された生成水の戻り口と、生成水を吐出する吐出部とを備え、上記原水の入口部を、混合水栓における各種構造の分岐口アタッチメントに取付け可能に構成するという構造にて実現した。
【実施例】
【００１８】
この発明の一実施例を以下図面に基づいて詳述する。  
図１は吐水用部材３０をシングルレバー式の混合水栓１に取付けた状態で示す全体図である。  
【００１９】
上述の混合水栓１は、混合栓本体２と、カートリッジ３との間に分岐口アタッチメント４を介設し、上述のカートリッジ３はその上部に作動部を有すると共に、このカートリッジ３はカバーナット５により分岐口アタッチメント４の上部に締付け固定されている。
【００２０】
また、カートリッジ３上部の作動部は操作レバー６（いわゆるレバーハンドル）にて操作されるように構成する一方、混合栓本体２の外周にはスパウト７の基部７ａが回動自在に装着されている。
【００２１】
上述の混合栓本体２は水道管に連通する水道水通路と、ボイラ等に連通する熱湯通路とを有し、水または熱湯は図１に矢印ａで示すように、操作レバー６とスパウト７との間に位置する分岐口アタッチメント４を介して上方へ流動し、操作レバー６にてカートリッジ３上部の作動部を操作した時、水道水をそのまま、または熱湯をそのまま、あるいは水道水と熱湯とを混合した温調流体を流出液体（混合流体）として図１に矢印ｂで示すように一旦、混合栓本体２内に流下させた後に、矢印ｃで示すようにスパウト７から供給し得るように構成している。
【００２２】
図２は図１で示した分岐口アタッチメント４の断面図であって、この分岐口アタッチメント４は外筒８（いわゆるハブ）と、この外筒８に内設される分岐栓本体９と、外筒９に横向き形成された分岐口１０にネジ部材１１を介して回転自在に取付けられた袋ナット構造のジョイント１２と、分岐口アタッチメント４を図１の混合栓本体２に固定するための取付けナット１３とを備えている。
【００２３】
ここで、上述の外筒８の上部外周にはカバーナット５（図１参照）を締付けるためのネジ部１４が形成される一方、分岐栓本体９にはその軸芯線方向に水道水流入孔１５と、熱湯流入孔１６と、湯水流出孔（図示せず）とが貫通形成されている。  
また上述の各流入孔１５，１６と分岐口１０とを連通する横孔１７，１８を設け、一方の横孔１８をプラグ１９で閉塞している。
【００２４】
そして、水道水などの原水を矢印ｄ，ｅで示すように、水道水流入孔１５、横孔１７、分岐口１０、ネジ部材１１の内部通路２０を介して分岐口アタッチメント４の外部に分岐流出すべく構成している。
【００２５】
この実施例の吐水用部材３０は、図１に示すように分岐コック（開閉弁）２１と、内部通路を有する該分岐コック２１の上流側のネジ部２２と、上述のジョイント１２とを介して分岐口アタッチメント４の分岐口１０に横付けしたものである。
【００２６】
図３は吐水用部材３０の断面図であって、この吐水用部材３０は部材本体３１を備えている。  
この部材本体３１の下部には原水Ｗの入口部３２と、アルカリイオン整水器などの水処理器に対する原水Ｗの供給口３３とを一直線上に加工形成すると共に、部材本体３１の上部には水処理器で水処理されたイオン水などの生成水の戻り口３４と、この戻り口３４に還流した生成水を吐出する吐出部としての吐出口３５とをＬ字状に連通形成している。
【００２７】
上述の入口部３２には内部通路３６をもったネジ部材３７が取付けられ、このネジ部材３７（接続部）には袋ナット構造の接続部材３８（接続部）が回動自在に取付けられていて、この接続部材３８は図１で示した分岐コック２１の下流側のネジ部２３に締付け固定される。  
また、上述の供給口３３には内部通路３９ａと接続ネジ部３９ｂとを有するアウトレット部材３９が取付けられ、同様に上述の戻り口３４には内部通路４０ａと接続ネジ部４０ｂとを有するインレット部材４０が取付けられている。
【００２８】
さらに、上述の吐出口３５にはスパウト固定ネジ４１およびＣリング構造の固定リング４２を介してスパウト４３が回動可能に取付けられると共に、スパウト４３の下端外周とスパウト固定ネジ４１の下部との間にはＯリングなどのシール部材４４が介設されている。  
また、上述の供給口３３に取付けたアウトレット部材３９の原水入口側には、水処理器への流量を一定にする定量弁４５が内設されている。
【００２９】
この定量弁４５は図４に拡大断面図で示すように、内部ハウジング４６と外部ハウジング４７とが一体化された弁ハウジングと、この弁ハウジングの中央に開口された通路４８と、内外の両ハウジング４６，４７間に形成された複数の通路４９と、両ハウジング４６，４７間に介設されたＯリング５０とを有し、流量に対応してＯリング５０で通路４９の原水通過面積をコントロールすることにより、定量弁４５の下流側（図４の左側）に一定量を確保するものである。
【００３０】
なお、図３における５１は部材本体３１の少なくとも外面一部を囲繞するカバー部材である。  
図３に示す吐水用部材３０に水処理器たとえばアルカリイオン整水器を接続するには、アウトレット部材３９とアルカリイオン整水器の原水インレットポートとを接続パイプで接続し、インレット部材４０とアルカリイオン整水器の生成水アウトレットポートとを接続パイプで接続する。
【００３１】
このように接続すると、水道水などの原水は図２に矢印ｄ，ｅで示したように分岐口アタッチメント４の分岐口１０からネジ部材１１の内部通路２０を介して分岐流出した後に、分岐コック２１の開弁時に原水Ｗが部材本体３１の入口部３２から流入し、この原水Ｗは定量弁４５で定量化され供給口３３およびアウトレット部材３９を介して図３に矢印ＯＵＴで示すように、アルカリイオン整水器に供給される。
【００３２】
アルカリイオン整水器で水処理された生成水（イオン水）は同図に矢印ＩＮで示すように、インレット部材４０から戻り口３４に還流した後に、吐出口３５から吐水パイプとしてのスパウト４３を介して流出される。このスパウト４３からの生成水の流出量は分岐コック２１にて全閉から全開の任意範囲に制御することができる。
【００３３】
このように図１〜図４で示した実施例の吐水用部材３０は、原水Ｗの入口部３２と、水処理器に対する原水Ｗの供給口３３と、水処理された生成水の戻り口３４と、生成水を吐出する吐出部（吐出口３５参照）とを備えた吐水用部材３０であって、上記原水Ｗの入口部３２を、混合水栓１における各種構造の分岐口アタッチメント４に取付け可能に構成したものである。
【００３４】
この構成によれば、吐水用部材３０の入口部３２に流入した原水Ｗは、供給口３３から水処理器に供給され、この水処理器にて水処理された生成水は戻り口（生成水入口）３４から流入した後に、吐出部（吐出口３５）から流出されて、使用に供することができる。
【００３５】
しかも、上述の原水Ｗの入口部３２を、混合水栓１における各種構造の分岐口アタッチメント４に取付けることができるので、複雑な構造のアダプタが一切不要で、かつ水処理器の設置場所の自由度の向上を図ることができると共に、既設の混合水栓１の分岐口アタッチメント４に簡単に取り付けることができ、特に混合水栓１の分岐口アタッチメント４は各種構造のものが存在するので、この吐水用部材３０の汎用性の拡大を図ることができる。  
また、吐水用部材３０を混合水栓１の分岐口アタッチメント４に取付けるとよいので、その取付け工事も極めて簡単となる。
【００３６】
また、上記原水Ｗが供給口３３へ流動する経路の一部に水処理器への流量を一定にする定量弁４５が内設されたものである。  
この構成によれば、供給口３３から水処理器へ供給される流出量の定量化を図ることができるので、水処理器に必要以上の水が供給されるのを制限することができる。  
なお、図１で示した分岐コック２１はアウトレット部材３９側に取付けるように構成してもよい。
【００３７】
図５は吐水用部材３０の他の実施例を示すものである。この図５に示す実施例においては原水Ｗの入口部３２と原水Ｗの供給口３３との間に分岐路５２を形成し、この分岐路５２に開閉弁５３（いわゆるコック）を介して分岐流水の出口５４（分岐出口）を形成したものである。  
上述の開閉弁５３は部材本体３１の下部を弁ハウジング５５として有効利用するものである。
【００３８】
すなわち、分岐路５２側にストッパ用のディスクスリーブ５６を取付け、このディスクスリーブ５６の外周と弁ハウジング５５の内周との間には固定ピン５７にて回動不可に形成された固定側のセラミックディスク５８を設けている。
【００３９】
この固定側のセラミックディスク５８の下部にはハンドル部５９の一対の突部６０，６０にて回動可能に形成された可動側のセラミックディスク６１を設けている。そして、可動側のセラミックディスク６１の下側乃至弁ハウジング５５の下端内周にディスクジョイント６２を取付け、このディスクジョイント６２に上述の出口５４（分岐出口）を開口形成すると共に、該ディスクジョイント６２（下端）の外周ネジ部にはプラグナット６３を着脱自在に取付けて、このプラグナット６３の取付け時には分岐流出を規制し、プラグナット６３を取り外した時、上述の出口５４から原水Ｗを分岐流出すべく構成し、この出口５４に外部機器たとえば食器洗い機や食器洗い乾燥機を接続することができるように構成したものである。
【００４０】
図６は図５のＡ−Ａ線矢視断面図であって、ハンドル部５９の径方向内方への突部６０，６０にて回動される可動側のセラミックディスク６１には２つの通路６１ａ，６１ａが形成されており、一方、固定側のセラミックディスク５８にも同一構造の通路５８ａ，５８ａ（図５参照）が形成され、ハンドル部５９の回動操作により上下の各セラミックディスク５８，６１の通路５８ａ，６１ａの重合面積を可変調整することで、開閉弁５３を全閉から全開までの範囲に任意に開閉して、分岐流水の流量をコントロールすべく構成したものである。  
なお、図６において５５ａは弁ハウジング５５に設けられたハンドル部５９操作用の切欠き部である。
【００４１】
このように図５、図６で示した実施例においては、上記原水Ｗの入口部３２と原水Ｗの供給口３３との間には、着脱自在なプラグナット６３を有する分岐出口５4が連通形成されたものである。  
この分岐出口５４には、プラグナット６３を取外して食器洗い乾燥機などの外部機器を接続することができる。  
この構成によれば、分岐出口５４から分流される原水を用いて外部機器に給水することができ、吐水用部材３０の利便性の向上を図ることができる。
【００４２】
この図５、図６で示した実施例においても、その他の構成、作用、効果については図１〜図４で示した実施例とほぼ同様であるから、図５、図６において前図と同一の部分には同一符号を付して、その詳しい説明を省略するが、ディスクスリーブ５６およびディスクジョイント６２の外周部必要箇所にはシール部材としてのＯリングが設けられている。
【００４３】
図７は吐水用部材３０のさらに他の実施例を示すものである。この実施例においては部材本体３１の入口部３２側にスリーブ６４を介して上述のネジ部材３７および袋ナット構造の接続部材３８を取付け、この接続部材３８に分岐コック２１を取付けている。
【００４４】
この分岐コック２１の内部構造は図５、図６で示した開閉弁５３の内部構造とほぼ同様であるから、図７において図５と同一の部分には同一符号を付して、その詳しい説明を省略するが、図７の実施例においては入口部３２に連通可能な内部通路２２ａを有する分岐コック２１の上流側のネジ部２２を図１、図２で示したジョイント１２を介して分岐口アタッチメント４の分岐口１０に連通接続させて、吐水用部材３０を分岐口アタッチメント４に横付けすべく構成している。
【００４５】
この実施例においては部材本体３１内の供給口３３と戻り口３４とを上下方向に連通する連通路６５を設け、この連通路６５には、原水Ｗの圧力で上動して閉弁し、供給口３３と戻り口３４との間を遮断し、原水Ｗの流入停止時（分岐コック２１の全閉時）に吐出部（吐出口３５およびスパウト４３参照）に残溜する微少な水圧にて下動して開弁し、供給口３３と戻り口３４との間を連通させる逆止弁６６を設けている。
【００４６】
この逆止弁６６は図８に拡大断面図で示すように、円筒状の弁ハウジング６７と、この弁ハウジング６７の下端部内周に固定されたスプリングリテーナ６８と、このスプリングリテーナ６８の中央側のガイド部６８ａに摺動案内されるロッド６９をもった弁体７０とを備えている。
【００４７】
上述のスプリングリテーナ６８にはその中央側のガイド部６８ａの外周に原水Ｗの流入を許容する開口部７１，７１を形成する一方、弁体７０下部とスプリングリテーナ６８上部との間にはコイルスプリング形状のバルブスプリング７２を介設している。
【００４８】
また弁体７０の上部外周には環状凹部７３を形成し、この環状凹部７３にＯリング７４を嵌着する一方、弁ハウジング６７の対応部には該Ｏリング７４を当接する弁座７５が形成されている。  
さらに弁体７０の下部外周には、該弁体７０の上下動を安定化させるための複数の舌片７６，７６が弁体７０に一体形成されている。  
なお、図７で示した実施例において弁ハウジング５５の下部に図５で示した分岐出口構造を採用してもよい。
【００４９】
図８は逆止弁６６の閉鎖状態（全閉状態）を示し、図８に矢印ｇで示すように開口部７１から原水Ｗが弁ハウジング６７内に流入する原水供給時には、バルブスプリング７２のバネ力と原水圧力とでＯリング７４が弁座７５に当接して閉弁状態になるように弁体７０が上方付勢され、原水Ｗの流入停止時においては、この逆止弁６６の配設部位より上側の通路（吐出口３５、スパウト４３、戻り口３４、内部通路４０ａ参照）に残溜する微少の水圧（図８の矢印ｈ参照）によりバルブスプリング７２のバネ力に抗して弁体７０が下方に押し下げられて、該弁体７０の下動により、逆止弁６６が開弁状態となって、上側に残溜する水と、水道水などの塩素が含有されて殺菌力を有する原水Ｗとが混ざり合うように構成されている。
【００５０】
このように図７、図８で示した実施例においては、上記供給口３３と戻り口３４とを連通する連通路６５を設け、該連通路６５には原水圧力で上動して閉弁し、原水の流入停止時に吐出部（吐出口３５参照）に残溜する水圧（詳しくは逆止弁６６が配設された位置よりも上側の通路に残溜する水の圧力）で下動して開弁する逆止弁６６が設けられたものである。
【００５１】
この構成によれば、原水Ｗの流入が停止した時、逆止弁６６が開弁するので、吐出部側に残溜する水と、水道水などの塩素が含有されて殺菌力を有する原水Ｗとが混合し、吐出部側における菌の繁殖を防止して、殺菌効果を確保することができる。  
この結果、スパウト４３から吐出される生成水を長期間使用しないような場合においても、残溜水と殺菌力を持った原水Ｗとの混合により、逆止弁６６の配設部位よりも上側の通路内が殺菌されるので、安心して再使用することができる。
【００５２】
この図７、図８で示した実施例においても、その他の構成、作用、効果については先の各実施例とほぼ同様であるから、図７、図８において前図と同一の部分には同一符号を付して、その詳しい説明を省略するが、スリーブ６４および弁ハウジング６７の外周部必要箇所にはシール部材としてのＯリングが設けられている。
【００５３】
以上要するに、図１〜図４で示した実施例、図５、図６で示した実施例、図７、図８で示した実施例の何れの実施例にあっても、原水Ｗの入口部３２と、水処理器に対する原水の供給口３３と、水処理された生成水の戻り口３４と、生成水を吐出する吐出部（吐出口３５参照）とを備えた吐水用部材３０であって、上記原水Ｗの入口部３２を、混合水栓１における各種構造の分岐口アタッチメント４に取付け可能に構成したものであるから、吐出用部材３０の入口部３２に流入した原水Ｗは、供給口３３から水処理器に供給され、この水処理器にて水処理された生成水は戻り口（生成水入口）３４から流入した後に、吐出部（吐出口３５参照）から流出されて、使用に供することができる。
【００５４】
しかも、上述の原水Ｗの入口部３２を、混合水栓１における各種構造の分岐口アタッチメント４に取付けることができるので、複雑な構造のアダプタが一切不要で、かつ水処理器の設置場所の自由度の向上を図ることができると共に、既設の混合水栓１の分岐口アタッチメント４に簡単に取り付けることができ、特に混合水栓１の分岐口アタッチメント４は各種構造のものが存在するので、吐水用部材３０の汎用性の拡大を図ることができる。
【００５５】
また水栓それ自体を何等取り替える必要がなく、吐水用部材３０を混合水栓１の分岐口アタッチメント４に取付けるとよいので、その取付け工事も極めて簡単となる効果がある。  
さらに、上記吐水用部材３０の全体は一般的な黄銅に代えて、プラスチックまたは強化樹脂で形成し、吐水用部材３０の軽量化を図ってもよい。
【００５６】
この発明の構成と、上述の実施例との対応において、
この発明の生成水を吐出する吐出部は、実施例の吐出口３５に対応するも、
この発明は、上述の実施例の構成のみ限定されるものではない。
【図面の簡単な説明】
【００５７】
【図１】本発明の吐水用部材をシングルレバー式の混合水栓に取付けた状態で示す概略図
【図２】分岐口アタッチメントの内部構造の一例を示す断面図
【図３】吐水用部材の断面図
【図４】定量弁を示す拡大断面図
【図５】吐水用部材の他の実施例を示す断面図
【図６】図５のＡ−Ａ線矢視断面図
【図７】吐水用部材のさらに他の実施例を示す断面図
【図８】逆止弁を示す拡大断面図
【図９】従来の水処理器に対する接続構造を示す斜視図
【図１０】従来のアダプタを示す斜視図
【符号の説明】
【００５８】
１…混合水栓
４…分岐口アタッチメント
３２…入口部
３３…供給口
３４…戻り口
３５…吐出口（吐出部）
４５…定量弁
５４…分岐出口
６３…プラグナット
６５…連通路
６６…逆止弁
【図１】
2006037705.tif 000003
【図２】
2006037705.tif 000004
【図３】
2006037705.tif 000005
【図４】
2006037705.tif 000006
【図５】
2006037705.tif 000007
【図６】
2006037705.tif 000008
【図７】
2006037705.tif 000009
【図８】
2006037705.tif 000010
【図９】
2006037705.tif 000011
【図１０】
2006037705.tif 000012